(57)【要約】【課題】吸込口に対するフィルタの着脱を容易に行うことのできる空調装置を提供する。【解決手段】フロントパネル２１に吸込口と吹出口が設けられ、吸込口にはフィルタ２７が取り付けられて、部屋内の空気を吸込口から吸い込んで、フィルタ２７により空気を濾過するとともに、濾過後の空気に対して空気調和に関する処理を行い、その処理後の空気を吹出口から部屋内に吹き出す空調装置であって、フィルタ２７を吸込口に取り付けるためのフィルタ取付部２６が設けられ、フィルタ取付部２６は、フィルタ２７が複数方向から挿入される複数のフィルタ挿入口３１，３２を有することを特徴としている。【選択図】        図６
2004150717.tif 000002
【特許請求の範囲】
【請求項１】
フロントパネルに吸込口と吹出口が設けられ、前記吸込口にはフィルタが取り付けられて、部屋内の空気を前記吸込口から吸い込んで、前記フィルタにより前記空気を濾過するとともに、濾過後の空気に対して空気調和に関する処理を行い、その処理後の空気を前記吹出口から部屋内に吹き出す空調装置であって、
前記フィルタを前記吸込口に取り付けるためのフィルタ取付部が設けられ、該フィルタ取付部は、前記フィルタが複数方向から挿入される複数のフィルタ挿入口を有することを特徴とする空調装置。
【請求項２】
前記フィルタ挿入口には、入口側から奥側に向かって傾斜部が形成され、その傾斜部によって、前記フィルタは前記フロントパネル表面に対して斜め方向に挿入されることを特徴とする請求項１に記載の空調装置。
【請求項３】
前記フィルタ取付部には、前記フィルタ挿入口から挿入されたフィルタを湾曲した状態で保持する保持部材が設けられていることを特徴とする請求項１又は２に記載の空調装置。
【請求項４】
請求項１〜３のいずれか１項に記載の空調装置に用いられるフロントパネル。
【発明の詳細な説明】
【０００１】
【発明の属する技術分野】
本発明は、室内の天井部もしくは壁部の開口部に挿入して取り付けられ、換気、暖房、乾燥、涼風、冷房等の空調機能を少なくとも一つは有する空調装置に関する。
【０００２】
【従来の技術】
浴室暖房機等の空調装置においては、室内側に露出したフロントパネルに吸込口と吹出口が設けられ、部屋内の空気を吸込口から吸い込み、その吸い込んだ空気をヒータ等で加熱し、その後、吹出口から暖かい空気として部屋内に吹き出すように構成されている。
【０００３】
吸込口には、吸い込んだ空気を濾過して空気中から埃等を取り除くためのフィルタが取り付けられている。このようなフィルタに埃が大量に付着すると、空気はフィルタを通過しにくくなって、吸込口から空調装置内に吸い込まれる空気量が低減するため、空調能力が低下する。
【０００４】
これを防ぐために、通常、フィルタは吸込口に着脱自在に取り付けられ、フィルタに大量の埃が付着したときは、フィルタを吸込口から取り外し、フィルタ掃除を行ってから、フィルタを吸込口に再度取り付けるように構成されている（例えば、特許文献１、特許文献２参照）。
【０００５】
【特許文献１】
実公平７−２２２３０号公報
【特許文献２】
特開平８−２８０９９８号公報
【０００６】
【発明が解決しようとする課題】
しかしながら、上記従来の技術では、フィルタ挿入口が吸込口の一側にしか設けられていないために、空調装置の取り付け場所によっては、フィルタの着脱が非常に難しくなる場合がある。例えば、空調装置を壁間際の天井部に取り付けた場合で、フィルタ挿入口を壁側に向けて配置したときは、挿入口からのフィルタの取り出し、および挿入口へのフィルタの挿入が非常に困難となる。
【０００７】
また、上記従来の技術では、フィルタ挿入口がフロントパネルの表面に沿った方向、つまり空調装置を天井部に取り付けた場合ではフィルタ挿入口が略水平方向に向いているので、フィルタ着脱の際には、背伸びをしてフィルタを水平状態に保持しなければならず、作業性が非常に悪い。
【０００８】
本発明の課題は、吸込口に対するフィルタの着脱を容易に行うことのできる空調装置を提供することにある。
【０００９】
【課題を解決するための手段】
上記課題を解決するために、請求項１に記載の発明は、フロントパネルに吸込口と吹出口が設けられ、前記吸込口にはフィルタが取り付けられて、部屋内の空気を前記吸込口から吸い込んで、前記フィルタにより前記空気を濾過するとともに、濾過後の空気に対して空気調和に関する処理を行い、その処理後の空気を前記吹出口から部屋内に吹き出す空調装置であって、前記フィルタを前記吸込口に取り付けるためのフィルタ取付部が設けられ、該フィルタ取付部は、前記フィルタが複数方向から挿入される複数のフィルタ挿入口を有することを特徴としている。
【００１０】
上記構成によれば、複数方向からフィルタ挿入口にフィルタを挿入することができるため、空調装置がどのような場所に取り付けられていても、フィルタの着脱が容易となる。
【００１１】
請求項２に記載の発明は、請求項１において、前記フィルタ挿入口には、入口側から奥側に向かって傾斜部が形成され、その傾斜部によって、前記フィルタは前記フロントパネル表面に対して斜め方向に挿入されることを特徴としている。
【００１２】
上記構成によれば、空調装置が天井部に取り付けられている場合、フィルタを斜め上方に向けてフィルタ挿入口へ挿入することができるので、フィルタ着脱の際の作業性が向上する。
【００１３】
請求項３に記載の発明は、請求項１又は２において、前記フィルタ取付部には、前記フィルタ挿入口から挿入されたフィルタを湾曲した状態で保持する保持部材が設けられていることを特徴としている。
【００１４】
上記構成によれば、フィルタ挿入口からフィルタを挿入して押し込む際に、フィルタは保持機構に沿って押し込まれるため、フィルタに無理な力が作用せず、フィルタの取付作業が簡単になる。また、フィルタ全体を円筒面形状に形成しておけば、フィルタの取付作業は一層簡単になる。
【００１５】
また、請求項４に記載の発明は、請求項１〜３のいずれか１項に記載の空調装置に用いられるフロントパネルであることを特徴としている。
【００１６】
【発明の実施の形態】
以下、本発明の実施の形態を図面に従って説明する。
（実施の形態１）
図１は本発明に係る空調装置の一例として浴室暖房装置１を示したものである。浴室暖房装置１は外側に金属製ボックスからなる本体ケース２を有し、この本体ケース２は浴室３の天井部４に設けられた開口部５に挿入される。本体ケース２の両側面には上部が逆Ｌ字状に折り曲げられたアンカーステイ６が取り付けられている。アンカーステイ６の上部逆Ｌ字状の部分には、階上のフロアとの仕切壁７に設けられるアンカーボルト８が挿通され、このアンカーボルト８によって本体ケース２は仕切壁７に固定されている。
【００１７】
本体ケース２の内部には、円筒形状をなす遠心式の吸引ファン９が配設されている。吸引ファン９はファンケース１０内に収容され、吸引ファン９で吸引された空気はファンケース１０によって送風路１１に導かれる。ファンケース１０には、吸引ファン９の回転中心軸に対応してベルマウス１２が形成され、浴室３内の空気はベルマウス１２を介して吸引ファン９に導入される。また、吸引ファン９は、本体ケース２の上部壁２Ａに設けられたモータ１３の出力軸に連結され、モータ１３によって回転駆動される。
【００１８】
送風路１１には、支軸１４を中心にして矢印Ａ方向に回動自在なダンパ１５が設けられている。このダンパ１５は図示していないモータによって駆動され、図の二点鎖線のように循環風路１６側の開口縁部に倒れると、循環風路１６が遮断されて、送風路１１と排気風路１７とが連通するので、送風路１１内の空気は排気風路１７に流れる。また、ダンパ１５が図の実線のように排気風路１７側に立ち上がると、排気風路１７が遮断されて送風路１１と循環風路１６とが連通するので、送風路１１内の空気は循環風路１６側に流れ、さらに循環風路１６から浴室３内部に循環される。
【００１９】
排気風路１７の排気口の外側縁部にはダクトジョイント１８が配設され、ダクトジョイント１８には建物の外側に通じるダクト１９が接続されている。
【００２０】
循環風路１６にはヒータ２０が設けられている。ヒータ２０はその表面に多数のフィンを有し、循環風路１６を通る空気を暖めることができる。
【００２１】
本体ケース２にはフロントパネル２１が浴室３内に露出して設けられ、本体ケース２と天井部４の開口部５の内縁部は、フロントパネル２１によって隠され、浴室側からは見えないようになっている。フロントパネル２１は表面がきれいに仕上げられ、化粧板としての役割を持っている。
【００２２】
フロントパネル２１には、ベルマウス１２に対向して吸込口２２が、ヒータ２０に対向して吹出口２３がそれぞれ形成されている。そして、図２および図３に示すように、吸込口２２には吸込みグリル２４が、吹出口２３には吹出しグリル２５がそれぞれ設けられている。なお、図１では吸込みグリル２４や吹出しグリル２５は省略されている。
【００２３】
本実施の形態では、図２および図３に示すように、吸込口２２にフィルタ取付部２６が設けられている。フィルタ取付部２６は略正方形の平板部２６Ａを有し、その平板部２６Ａの中央に前記吸込みグリル２４が形成されている。また、フィルタ取付部２６には、その４つの角部に脚部２６Ｂが設けられ、これら４つの脚部２６Ｂによって平板部２６Ａはフロントパネル２１本体に支持されている。
【００２４】
このように、平板部２６Ａには４つの脚部２６Ｂが設けられており、これによって、平板部２６Ａ周囲の４方向には、フィルタ２７をフィルタ取付部２６内に挿入するためのフィルタ挿入口３１〜３４が形成されている。フィルタ２７は、吸込口２２から吸い込まれた空気を、例えば樹脂等で網目状に構成した濾過部２７Ｃで濾過して、空気中の埃等を除去する。
【００２５】
ここで、図２および図３において、フロント取付部２６の下部のフィルタ挿入口を符号３１で、上部のフィルタ挿入口を符号３２で、左部のフィルタ挿入口を符号３３で、右部のフィルタ挿入口を符号３４でそれぞれ示す。
【００２６】
図４は図２のＢ−Ｂ線に沿った断面を、図５はＣ−Ｃ線に沿った断面をそれぞれ示す。図４に示すように、フィルタ取付部２６のＢ−Ｂ線に沿った両側にはフィルタ挿入口３１，３２が設けられ、これらフィルタ挿入口３１，３２には、入口側から奥側に向かって傾斜部３１Ａ，３２Ａがそれぞれ形成されている。傾斜部３１Ａ，３２Ａはフロントパネル２１本体側に設けられている。
【００２７】
また、図５に示すように、フィルタ取付部２６のＣ−Ｃ線に沿った両側にはフィルタ挿入口３３，３４が設けられ、これらフィルタ挿入口３３，３４にも、入口側から奥側に向かって傾斜部３３Ａ，３４Ａがそれぞれ形成されている。傾斜部３３Ａ，３４Ａもフロントパネル２１本体側に設けられている。
【００２８】
また、フロントパネル２１本体には、吸込口２２の内周に沿って略正方形の内側縁部２２Ａが形成されている。内側縁部２２Ａの大きさはフィルタ２７の大きさよりも小さくなっている。
【００２９】
なお、図４において、フィルタ取付部２６とフィルタ挿入口３１，３２は中心線Ｌ１に関して左右対称に形成されている。また、図５において、フィルタ取付部２６とフィルタ挿入口３３，３４は中心線Ｌ２に関して左右対称に形成されている。
【００３０】
次に、フィルタ取付部２６にフィルタ２７を取り付ける際の手順について説明する。フィルタ２７には、図６に示すように、把持部２７Ａが設けられており、作業者は把持部２７Ａを手で持って取付作業を行う。
【００３１】
まず、フィルタ挿入口３１からフィルタ２７を挿入する場合は、フロントパネル２１に対して斜め方向からフィルタ２７の先端部２７Ｂをフィルタ挿入口３１に挿入し、フィルタ２７をそのまま押し込んでいく。このとき、フィルタ２７は、その上面が傾斜部３１Ａに当接して案内される。フロントパネル２１本体には内側縁部２２Ａが形成されているので、傾斜部３１Ａで案内されてきたフィルタ２７は、その両側端が内側縁部２２Ａによって係止され、図６に示すように、傾斜部３１Ａと内側縁部２２Ａとの接合点２８付近で水平に屈曲される。
【００３２】
フィルタ２７を更に押し込んでいき、フィルタ２７をフィルタ取付部２６に完全に装着すると、図７に示すような状態となる。
【００３３】
フィルタ取付部２６とフィルタ挿入口３１，３２は中心線Ｌ１に関して左右対称であるから、フィルタ挿入口３２からフィルタ２７を挿入する場合も、上記と同様にしてフィルタ２７をフィルタ取付部２６に装着することができる。
【００３４】
さらに、フィルタ挿入口３３からフィルタ２７を挿入する場合は、上記と同様、フロントパネル２１に対して斜め方向からフィルタ２７の先端部２７Ｂをフィルタ挿入口３１に挿入し、フィルタ２７をそのまま押し込んで、フィルタ取付部２６に完全に装着する。
【００３５】
フィルタ取付部２６とフィルタ挿入口３３，３４は中心線Ｌ２に関して左右対称であるから、フィルタ挿入口３４からフィルタ２７を挿入する場合も、上記と同様にしてフィルタ２７をフィルタ取付部２６に装着することができる。
【００３６】
本実施の形態によれば、フィルタ取付部２６に対して４方向からフィルタ２７を挿入することができ、本体ケース２がどのような場所に、またどのような向きに取り付けられていても、フィルタ２７の着脱を容易に行うことができる。
【００３７】
また、本実施の形態では、各フィルタ挿入口３１〜３４からフィルタ２７を引き抜く場合、フィルタ２７の上面が各傾斜部３１Ａ〜３４Ａに当接して、フィルタ２７の下面はフィルタ取付部２６のどこにも当たらないので、フィルタ２７下面に付着した埃等が作業者の上に落ちるのを防止することができる。
【００３８】
（実施の形態２）
次に、本発明の実施の形態２について説明する。本実施の形態では、図８に示すように、フィルタ取付部４０の両側にフィルタ挿入口４１，４２が形成され、そのフィルタ挿入口４１，４２の傾斜部４１Ａ，４２Ａに連続して円弧状の内側縁部４３が設けられている。この内側縁部４３は、吸込口２２の内周のうち、フィルタ４４の挿入方向に沿った相対する辺に設けられている。また、本実施の形態では、フィルタ４４は円筒面形状をなし、フィルタ取付部４０の上面は内側縁部４３に対応して円筒面に形成されている。
【００３９】
上記構成において、フィルタ４４をフィルタ挿入口４１から挿入して押し込むと、フィルタ４４は内側縁部４３に案内されて、円筒面を保持したままで装着される。
【００４０】
フィルタ挿入口４２からフィルタ４４を装着する場合も、上記と同様、フィルタ４４は内側縁部４３に案内されて、円筒面を保持したままで装着される。
【００４１】
本実施の形態によれば、内側縁部４３が円弧状に形成されているので、円筒面形状のフィルタ４４をスムーズに挿入することができる。また、フィルタ４４の引き抜きも極めて容易である。
【００４２】
なお、本実施の形態では円筒面形状のフィルタ４４を用いたが、実施の形態１の場合のように平板状のフィルタ２７を挿入することもできる。この場合、フィルタ挿入口４１，４２からフィルタ２７を挿入して押し込む際に、フィルタ２７は円弧状の内側縁部４３に沿って押し込まれるため、フィルタ２７に無理な力が作用せず、フィルタ２７の取付作業が簡単になる。
【００４３】
なお、実施の形態１・２では、本発明を浴室暖房装置に適用した例を説明したが、本発明はこれに限らず、浴室換気装置や浴室乾燥装置にも適用できる。また、本発明は居室用もしくは脱衣場用の空気調和装置にも適用できる。
【００４４】
【発明の効果】
以上説明したように、本発明によれば、複数方向からフィルタ挿入口にフィルタを挿入することができるため、空調装置がどのような場所に取り付けられていても、フィルタの着脱作業を容易に行うことができる。特に浴室などに設置される浴室空調装置においては、浴槽の上に空調装置があるのが常であり、複数方向の作業しやすい方向から、フィルタを挿入できるようになり作業性が著しく向上する。
【００４５】
また、浴室空調装置の長手方向は、浴槽の長手方向に対して平行となるように設置されるため、吹出し方向より、フィルタを挿入可能となる。従来の吹出し方向が１箇所である場合は、施工時にフィルタ抜き差し用の作業寸法を確保する必要があるが、今回のように複数方向とすることにより、その必要がなくなる。
【００４６】
また、洗い場側から抜き差しできるようにする（浴槽の長手方向に対して垂直方向）と、より作業しやすい。その際に従来であれば、ガイド部を有していないため、背伸びしてフィルタを挿入しなければならず作業性が悪かったが、傾斜したガイド部を設けることにより、フィルタを容易に挿入することができる。
【００４７】
さらに、フィルタを斜め下方向から挿入口に挿入する構成であるから、挿入口をフロントパネルに対して垂直方向に開口させることもでき、その結果、フロントパネルの厚さを薄くすることが可能となる。
【図面の簡単な説明】
【図１】本発明に係る空調装置の一例である浴室暖房装置の構成図である。
【図２】フィルタをある方向から挿入する様子を示した図である。
【図３】フィルタを他の方向から挿入する様子を示した図である。
【図４】実施の形態１を示しており、図２のＢ−Ｂ線に沿った断面図である。
【図５】実施の形態１を示しており、図２のＣ−Ｃ線に沿った断面図である。
【図６】フィルタを挿入する様子を示した図である。
【図７】フィルタが完全に装着された様子を示した図である。
【図８】実施の形態２を示しており、フィルタを円弧形状に合わせて挿入する様子を示した図である。
【符号の説明】
１  浴室暖房装置
２  本体ケース
４  天井部
９  吸引ファン
２０  ヒータ
２１  フロントパネル
２２  吸込口
２２Ａ  内側縁部
２３  吹出口
２６  フィルタ取付部
２７  フィルタ
３１〜３４  フィルタ挿入口
３１Ａ〜３４Ａ  傾斜部
４０  フィルタ取付部
４１，４２  フィルタ挿入口
４１Ａ，４２Ａ  傾斜部
４３  円弧状の内側縁部
４４  フィルタ
【図１】
2004150717.tif 000003
【図２】
2004150717.tif 000004
【図３】
2004150717.tif 000005
【図４】
2004150717.tif 000006
【図５】
2004150717.tif 000007
【図６】
2004150717.tif 000008
【図７】
2004150717.tif 000009
【図８】
2004150717.tif 000010